(57)【要約】      （修正有）【課題】記録対象ファイルが複数の場合でも一つの場合でも、データの記録進行状況を容易に把握することのできる記録再生装置、記録再生方法および制御プログラムを提供する。【解決手段】記録再生装置に、記録対象ファイルを取得する記録対象ファイル取得部１０と、記録対象ファイルを記録媒体に記録する記録部２０と、記録部２０に記録された記録ファイルに含まれるデータを再生する再生部３０と、記録対象ファイルの記録進行状況を表示する表示部５１と、記録対象ファイルの数が複数の場合は、全記録対象ファイルの数に対する記録済みの記録対象ファイルの数の割合を記録進行状況とし、記録対象ファイルの数が一つの場合は、記録進行状況として記録がなされている旨を表す表示を所定の単位時間毎に更新しつつ表示部５１に表示させる制御部６０と、を備えさせる。【選択図】図１
2007257710.tif 000002
【特許請求の範囲】
【請求項１】
外部から供給される記録対象ファイルを取得する記録対象ファイル取得部と、
前記記録対象ファイルを記録媒体に記録ファイルとして記録する記録部と、
前記記録部による記録と並行して前記記録ファイルに含まれるデータを再生する再生部と、
前記記録対象ファイルの記録進行状況を表示する表示部と、
前記記録対象ファイルの数が複数の場合は、全記録対象ファイルの数に対する記録済みの記録対象ファイルの数の割合を前記記録進行状況として前記表示部に表示させ、前記記録対象ファイルの数が一つの場合は、前記記録進行状況として前記記録がなされている旨を表す表示を所定の単位時間毎に更新しつつ前記表示部に表示させる制御部と、
を備えたことを特徴とする記録再生装置。
【請求項２】
請求項１記載の記録再生装置において、
前記制御部は、全記録対象ファイルの数が複数の場合であって、未記録の記録対象ファイルの数が一つとなった場合に、前記記録進行状況の表示を全記録対象ファイルの数が一つの場合の表示に切り換えること、
を特徴とする記録再生装置。
【請求項３】
請求項１または２記載の記録再生装置において、
前記表示部は、複数の点灯領域を有する記録進行状況表示手段を有し、
前記制御部は、前記記録進行状況表示手段において、点灯させる点灯領域の位置及び数を制御することにより前記記録対象ファイルの記録進行状況を表示させること、
を特徴とする記録再生装置。
【請求項４】
表示部を備えた記録再生装置により記録媒体に記録対象ファイルを記録する記録再生方法において、
外部から供給される記録対象ファイルを取得する過程と、
前記記録対象ファイルを記録媒体に記録ファイルとして記録する過程と、
前記記録と並行して前記記録ファイルに含まれるデータを再生する過程と、
前記記録対象ファイルの数が複数の場合は、全記録対象ファイルの数に対する記録済みの記録対象ファイルの数の割合を前記記録進行状況として前記表示部に表示させ、前記記録対象ファイルの数が一つの場合は、前記記録進行状況として前記記録がなされている旨を表す表示を所定の単位時間毎に更新しつつ前記表示部に表示させる過程と、
を備えたことを特徴とする記録再生方法。
【請求項５】
記録対象ファイル取得部と、記録部と、再生部と、表示部とを備え、記録媒体に記録対象ファイルを記録する記録再生装置をコンピュータを用いて制御する制御プログラムにおいて、
前記記録対象ファイル取得部に、外部から供給される記録対象ファイルを取得させ、
前記記録部に、前記記録対象ファイルを記録媒体に記録ファイルとして記録させ、
前記再生部に、前記記録部による記録と並行して前記記録ファイルに含まれるデータを再生させ、
前記表示部に、前記記録対象ファイルの数が複数の場合は、全記録対象ファイルの数に対する記録済みの記録対象ファイルの数の割合を前記記録進行状況として前記表示部に表示させ、前記記録対象ファイルの数が一つの場合は、前記記録進行状況として前記記録がなされている旨を表す表示を所定の単位時間毎に更新しつつ前記表示部に表示させること、
を特徴とする制御プログラム。
【発明の詳細な説明】
【技術分野】
【０００１】
本発明は、記録対象ファイルを記録媒体に記録する記録再生装置、記録再生方法および制御プログラムに関する。
【背景技術】
【０００２】
従来、音楽ＣＤ（コンパクトディスク）などの外部記録媒体に記録された音楽ファイルを読み出して音声データを再生させることと並行して、この音声ファイルをハードディスク装置（以下、「ＨＤＤ」という）等の記録再生装置に記録させることのできる記録再生装置が知られている。このような装置として、例えば、外部記録媒体に記録された音楽ファイルを二倍速など通常の再生速度よりも速い速度で記録媒体に記録させて、記録媒体に記録された音楽ファイルから通常の再生速度で音声データを再生させることが行われている（例えば、特許文献１参照）。
【特許文献１】特開２００１−１５５４１１号公報
【発明の開示】
【発明が解決しようとする課題】
【０００３】
ところで、外部記録媒体に記録された音楽ファイルを記録媒体に記録する場合に、その記録進行状況をユーザに報知するための手段として、表示部等に記録進行状況を示すインジケータを設けることが考えられる。例えば、十曲分の音楽ファイルを記録する場合に、二曲分の音楽ファイルの記録が終了するとインジケータの表示を２０％に、四曲分の音楽ファイルの記録が終了するとインジケータの表示を４０％にするなど、ファイル数、すなわち曲数に基づいて表示を行えば、ユーザは現在どの楽曲を記録しているのかということを容易に把握できて好ましい。
【０００４】
しかしながら、ファイル数単位で記録の進行状況を表示する場合に、記録対象ファイルが一つのときは、記録が終了するまでの間は常に記録進行状況は０％の表示となり、記録が終了した時点で突然１００％の表示となり、これでは、記録進行状況の表示としては何の意味も成さないものとなってしまう。
【０００５】
一方、記録の進行状況を記録に要する残り時間で表示すると、１曲分の音楽ファイルを記録する場合には、記録の進行状況を把握できてよい。しかし、複数曲分の音楽ファイルを記録する場合には、曲単位で表示する場合に比べると、ユーザは記録に要する残り時間を見ても現在どの楽曲が記録されているのかが分からなくなる。
【０００６】
本発明の課題は、記録対象ファイルが複数の場合でも一つの場合でも、データの記録進行状況を容易に把握することのできる記録再生装置、記録再生方法および制御プログラムを提供することにある。
【課題を解決するための手段】
【０００７】
上記課題を解決するため、本発明の記録再生装置は、外部から供給される記録対象ファイルを取得する記録対象ファイル取得部と、前記記録対象ファイルを記録媒体に記録ファイルとして記録する記録部と、前記記録部による記録と並行して前記記録ファイルに含まれるデータを再生する再生部と、前記記録対象ファイルの記録進行状況を表示する表示部と、前記記録対象ファイルの数が複数の場合は、全記録対象ファイルの数に対する記録済みの記録対象ファイルの数の割合を前記記録進行状況として前記表示部に表示させ、前記記録対象ファイルの数が一つの場合は、前記記録進行状況として前記記録がなされている旨を表す表示を所定の単位時間毎に更新しつつ前記表示部に表示させる制御部と、を備えたことを特徴とする。
この構成によれば、記録対象ファイルの数が複数の場合には、記録対象ファイルの数に対する記録済みの記録対象ファイルの数の割合が記録進行状況として表示部に表示されるので、ユーザは記録対象ファイルの記録進行状況を容易に把握することができる。また、記録対象ファイルの数が一つの場合は、記録進行状況を記録対象ファイルの数に対する割合で表示するのではなく、記録がなされている旨を表す表示を所定の単位時間毎に更新しつつ表示を行うので、一つの記録対象ファイルの記録が行われている旨を表示することができる。さらに、表示部に表示される記録進行状況を見ることにより現在複数の記録対象ファイルが記録されているのか、一つの記録対象ファイルが記録されているのかを容易に把握することができる。
【０００８】
上記構成の記録再生装置において、前記制御部に、全記録対象ファイルの数が複数の場合であって、未記録の記録対象ファイルの数が一つとなった場合に、前記記録進行状況の表示を全記録対象ファイルの数が一つの場合の表示に切り換えさせてもよい。
【０００９】
また、上記構成の記録再生装置において、前記表示部に、複数の点灯領域を有する記録進行状況表示手段を備えさせ、前記制御部に、前記記録進行状況表示手段において、点灯させる点灯領域の位置及び数を制御することにより前記記録対象ファイルの記録進行状況を表示させるようにしてもよい。
【００１０】
また、本発明の記録再生方法は、表示部を備えた記録再生装置により記録媒体に記録対象ファイルを記録する記録再生方法において、外部から供給される記録対象ファイルを取得する過程と、前記記録対象ファイルを記録媒体に記録ファイルとして記録する過程と、前記記録と並行して前記記録ファイルに含まれるデータを再生する過程と、前記記録対象ファイルの数が複数の場合は、全記録対象ファイルの数に対する記録済みの記録対象ファイルの数の割合を前記記録進行状況として前記表示部に表示させ、前記記録対象ファイルの数が一つの場合は、前記記録進行状況として前記記録がなされている旨を表す表示を所定の単位時間毎に更新しつつ前記表示部に表示させる過程と、を備えたことを特徴とする。
【００１１】
また、本発明の制御プログラムは、記録対象ファイル取得部と、記録部と、再生部と、表示部とを備え、記録媒体に記録対象ファイルを記録する記録再生装置をコンピュータを用いて制御する制御プログラムにおいて、前記記録対象ファイル取得部に、外部から供給される記録対象ファイルを取得させ、前記記録部に、前記記録対象ファイルを記録媒体に記録ファイルとして記録させ、前記再生部に、前記記録部による記録と並行して前記記録ファイルに含まれるデータを再生させ、前記表示部に、前記記録対象ファイルの数が複数の場合は、全記録対象ファイルの数に対する記録済みの記録対象ファイルの数の割合を前記記録進行状況として前記表示部に表示させ、前記記録対象ファイルの数が一つの場合は、前記記録進行状況として前記記録がなされている旨を表す表示を所定の単位時間毎に更新しつつ前記表示部に表示させること、を特徴とする。
【発明の効果】
【００１２】
本発明によれば、記録媒体に記録対象ファイルを記録する際に、記録対象ファイルが複数の場合でも一つの場合でも、記録対象ファイルの記録進行状況を容易に把握することができる。
【発明を実施するための最良の形態】
【００１３】
以下、図面を参照して、本発明の実施の形態を説明する。
図１に本実施の形態の記録再生装置１の主要構成を示す。図１に示すように、記録再生装置１は、音楽ファイル取得部（記録対象ファイル取得部）１０と、記録部２０と、信号処理部（再生部）３０と、音声出力部４０と、表示・入力部５０と、制御部６０と、計時部７０と、カウンタ８０とを備えている。本実施の形態の記録再生装置１は、外部記録媒体１１に記録された音楽ファイル（記録対象ファイル）を読み出して、２倍速または４倍速など通常の再生速度よりも早い速度で記録部２０が備える記録媒体２１に音声ファイルを記録ファイルとして記録しながら、音楽ファイルの記録と並行して記録媒体２１に記録された記録ファイルから音声データを通常の再生速度で再生する機能を有し、当該記録ファイルの記録進行状況を表示・入力部５０が備える液晶ディスプレイ５１に表示するようになっている。以下、各構成要素について説明する。
【００１４】
音楽ファイル取得部１０は、外部記録媒体１１を取り外し自在に接続し、外部記録媒体１１に記録された音楽ファイルを等倍速（通常の再生速度）、２倍速、４倍速等予め設定された読出速度で読み出して、取得した音楽ファイルを信号処理部３０に出力するものである。本実施の形態では音楽ファイル取得部１０は、音楽用ＣＤから音楽等の音楽ファイルを取得するＣＤ再生装置を用いて構成される。
【００１５】
また、音楽ファイル取得部１０は、外部記録媒体１１に記録された音楽ファイルの数や各音楽ファイルの再生時間に関する情報を取得する。音楽用ＣＤの場合、音楽用ＣＤに各曲の目次情報として記録されているＴＯＣ（Table Of Contents）情報を読み出して、記録されている音楽ファイルの数や各音楽ファイルの再生時間に関する情報を取得する。
【００１６】
記録部２０は、上述の通り記録媒体２１を備え、信号処理部３０から出力される音楽ファイルを記録ファイルとして記録媒体２１に記録し、記録と並行して記録ファイルを順次信号処理部３０に出力するもので、本実施の形態では記録媒体２１としてフラッシュメモリを備えて構成される。
【００１７】
信号処理部３０は、ＤＳＰ３１（Digital Signal Processor）と、ＲＡＭ３２と、ＲＯＭ３３とを備え、制御部６０の制御の下、ＲＯＭ３３に記録された制御プログラムに従い、ＲＡＭ３２の一部を作業領域として、音楽ファイルや記録ファイルに含まれる音声データ等に対して所定の符号化方式に従って符号化・復号化処理等の各種信号処理を行い、信号処理後の音楽データ等を記録部２０または音声出力部４０に出力するものである。
【００１８】
ここで、符号化方式としては、例えば、ＷＭＡ（Windows（登録商標） Media Audio）、ＡＴＲＡＣ（登録商標、ＡＴＲＡＣ、ＡＴＲＡＣ３、ＡＴＲＡＣ３ｐｌｕｓ、ＡＴＲＡＣ Advanced Lossless）、ＭＰ３（MPEG Audio Layer-3）等の種々の音声圧縮符号化方式を用いることができる。
【００１９】
音声信号出力部は、アンプ４１とスピーカ４２とを備え、信号処理部３０から入力する音声データに対応する音声信号をアンプ４１で増幅してスピーカ４２を介して音声として外部に出力するものである。
【００２０】
表示・入力部５０は、液晶ディスプレイ５１と、液晶ディスプレイ５１上に配置されるキーマトリックス５２と、表示制御・入力検出部５３とを備えている。
【００２１】
液晶ディスプレイ５１には、制御部６０の制御の下、表示制御・入力検出部５３により操作画面等の他、図２に示す記録進行状況等の各種表示が行われる。記録進行状況は、記録対象の音楽ファイルの数が複数の場合と、記録対象の音楽ファイルの数が一つの場合とでは異なる表示が行われる。
【００２２】
記録対象の音楽ファイルの数が複数の場合、記録対象の全音楽ファイル数に対する記録済みの音楽ファイル数の割合を記録進行状況として液晶ディスプレイ５１に表示される。例えば、図２（ａ）に示すような、所定の大きさの点灯領域を互いに隣接するように５つ設けたインジケータ５１ａ（記録進行状況表示手段）５１ａにおいて、点灯させる点灯領域の数を増加させることにより記録進行状況を５段階に分けて表示することが考えられる。すなわち、記録対象の音楽ファイルの数が１０曲分ある場合、点灯させる点灯領域の位置を一方の端部から他方の端部に向けて順に増加させていくとすれば、図２（ａ）（ｉ）〜（ｖｉ）に示すように、初期状態では全ての点灯領域を消灯させ、２曲分の音楽ファイルが記録された時点で一つの点灯領域を点灯状態として２０％の音楽ファイルが記録済みであることを表示し、４曲分の音楽ファイルが記録された時点で点灯させる点灯領域を一つ増加させて二つとして４０％の音楽ファイルが記録済みであることを表示し、６曲分の音楽ファイルが記録された時点でさらに点灯させる点灯領域を一つ増加させて三つとして６０％の音楽ファイルが記録済みであることを表示し、８曲分の音楽ファイルが記録された時点でさらに点灯させる点灯領域を一つ増加させて四つとして８０％の音楽ファイルが記録済みであることを表示し、１０曲分の音楽ファイルが記録された時点で全部の点灯領域を点灯させて、記録が完了したことを表示することにより音楽ファイルの記録進行状況を表示することができる。
【００２３】
一方、記録対象の音楽ファイルの数が一つの場合、インジケータ５１ａを用いて、記録進行状況の表示として音楽ファイルの記録がなされている旨を表す表示を所定の単位時間毎に更新しつつ表示する。ここで、音楽ファイルの記録がなされている旨を表す表示は、どのようなものであってもよいが、例えば、図２（ｂ）に示すように、所定の単位時間（２００ｍｓ）毎に点灯される点灯領域の位置が（ｉ）〜（ｖｉ）に示すように、一定の方向に移動していくことにより、時間経過を示すような表示や、所定の単位時間毎に点灯する点灯領域の位置がランダムに変化する表示や、その他文字が移動するような表示であってもよいし、任意の表示を行うことができる。
【００２４】
キーマトリックス５２は、透明な素材を用いてシート状に形成されたもので、縦横に升目のように電極を並べたスイッチを有する。液晶ディスプレイ５１に表示される操作画面に設けられた各種操作ボタンをユーザが押下操作することにより、押下位置に応じた操作指示が表示制御・入力検出部５３を介して制御部６０に入力される。その他、表示・入力部５０は、図示しない電源投入スイッチ、音量調節ボタン等の各種操作子を有し、ユーザからの各種操作指示を受け付ける。
【００２５】
表示制御・入力検出部５３は、制御部６０から入力される制御信号に従って、上記記録進行状況表示をインジケータ５１ａを用いて行うため、点灯させる点灯領域の位置および数を制御する。
【００２６】
ユーザは、この表示・入力部５０を介して、外部記録媒体１１に記録された音楽ファイルの記録指示、記録対象の音楽ファイルの選択、記録時における音楽ファイルの読出速度（等倍速、２倍速、４倍速等）などを指定できるようになっている。
【００２７】
制御部６０は、メインマイコン６１とサブマイコン６２を有している。
メインマイコン６１は、この記録再生装置１の全体の制御を行うマイクロプロセッサであり、サブマイコン６２から入力される信号に基づいて、表示制御・入力検出部５３に制御信号を送り、液晶ディスプレイ上に上記の記録進行状況表示を行わせる。
【００２８】
サブマイコン６２はメインマイコン６１の制御の下、主として信号処理部３０と音楽ファイル取得部１０の動作を制御するマイクロプロセッサであり、メインマイコン６１から入力される制御信号に従い、外部記録媒体１１から記録媒体２１に記録させる音楽ファイルの数等をＤＳＰ３１に与え、記録媒体２１における記録済みの音楽ファイルの数等を把握する。
【００２９】
計時部７０は、所定の時間を計時するもので、本実施の形態では、記録対象の音楽ファイルの数が一つである場合、図２（ｂ）に示したように、２００ｍｓ経過毎にサブマイコン６２にタイミング信号を入力し、メインマイコン６１はサブマイコン６２から２００ｍｓ経過毎に入力されるタイミング信号に基づいて、インジケータ５１ａにおいて点灯させる点灯領域の位置を変更するためタイミングを表示制御・入力検出部５３に与える。
【００３０】
カウンタ８０は、サブマイコン６２から入力するカウント信号に従って、カウントを行うもので、本実施の形態では、記録対象の音楽ファイルの数が一つの場合に、サブマイコン６２に計時部７０から２００ｍｓ経過毎にタイミング信号が入力されると、これに伴いサブマイコン６２はカウンタ８０にカウント信号を送り、カウンタ８０ではカウント信号が入力される毎に「１」ずつカウント数Ｃを増加する。そして、サブマイコン６２からリセット信号が入力されるとカウント数Ｃをリセットする。
【００３１】
本実施の形態の記録再生装置１では、ユーザにより外部記録媒体１１が音楽ファイル取得部１０に接続されると、制御部６０の制御の下、上述のように、外部記録媒体１１に記録された音楽ファイルを予め設定された読出速度で読み出しながら、記録媒体２１に所定の記録ビットレートで記録し、これと並行して記録媒体２１に記録された記録ファイルを通常の再生速度で再生する処理が自動的に行われるように設定されている。このとき、制御部６０は、音楽ファイルの記録と並行して記録進行状況表示処理を実行し、液晶ディスプレイ５１に表示されるインジケータ５１ａにおいて、記録媒体２１に記録されていく記録ファイル量の推移に基づき、音楽ファイルの記録進行状況を表示するようになっている。
【００３２】
以下、図３を参照して、記録進行状況表示処理について説明する。
まず、図３に示すように、記録が開始されると、制御部６０はメインマイコン６１とサブマイコン６２の協働の下、記録対象の音楽ファイルの数が複数か否かを判別する（ステップＳ１）。
【００３３】
記録対象の音楽ファイルの数が複数の場合（ステップＳ１：Ｙ）、制御部６０は、液晶ディスプレイ５１に設けられるインジケータ５１ａの五つの点灯領域を全て消灯させる（ステップＳ２）。
【００３４】
そして、記録対象の音楽ファイルの数に対する記録済みの音楽ファイルの数の割合が２０％に達すると（ステップＳ３：Ｙ）、一つの点灯領域を点灯させて２０％記録済みの表示とし（ステップＳ４）、記録済みの音楽ファイルの数の割合が４０％に達すると（ステップＳ５：Ｙ）、点灯させる点灯領域の数を一つ増加させて４０％記録済みの表示とし（ステップＳ６）、記録済みの音楽ファイルの数の割合が６０％に達すると（ステップＳ７：Ｙ）、点灯させる点灯領域の数を一つ増加させて６０％記録済みの表示とし（ステップＳ８）、記録済みの音楽ファイルの数の割合が８０％に達すると（ステップＳ９：Ｙ）、点灯させる点灯領域の数を一つ増加させて８０％記録済みの表示とし（ステップＳ１０）、全ての記録対象の音楽ファイルの記録が完了すると（ステップＳ１１：Ｙ）、五つの点灯領域を全て点灯させて１００％記録済みの表示とする（ステップＳ１２）。
【００３５】
一方、記録対象の音楽ファイルの数が一つの場合（ステップＳ１：Ｎ）、制御部６０は、メインマイコン６１とサブマイコン６２の協働の下、インジケータ５１ａの五つの点灯領域を全て消灯させる（ステップＳ２１）。そして、カウンタ８０にリセット信号を入力して、カウンタ８０のカウント数をＣ＝０とする（ステップＳ２２）。そして、計時部により２００ｍｓが計時されるまで待機する。
【００３６】
次に、計時部により２００ｍｓが計時されると（ステップＳ２３：Ｙ）、制御部６０は、カウンタ８０にカウント信号を送り、カウンタ８０のカウント数をＣ＝Ｃ＋１とし（ステップＳ２４）、インジケータ５１ａをカウント数に応じた表示とする（ステップＳ２５）。具体的には、カウント数がＣ＝０の場合、図２（ｂ）（ｉ）に示す表示を、カウント数がＣ＝１の場合、図２（ｂ）（ｉｉ）に示す表示を、カウント数がＣ＝２の場合、図２（ｂ）（ｉｉｉ）に示す表示を、カウント数がＣ＝３の場合、図２（ｂ）（ｉｖ）に示す表示を、カウント数がＣ＝４の場合、図２（ｂ）（ｖ）に示す表示を、カウント数がＣ＝５の場合、図２（ｂ）（ｖｉ）に示す表示を行う。そして、カウント数がＣ＝６の場合、図２（ｂ）（ｉ）に示す表示に戻る。
【００３７】
そして、カウンタ８０のカウンタ数がＣ＝６になった時点で（ステップＳ２６：Ｙ）、制御部６０はカウンタ８０にリセット信号を送り、カウンタ８０のカウント数をＣ＝０にリセットさせる（ステップＳ２７）。そして、音楽ファイルの記録が終了するまで（ステップＳ２８：Ｙ）、上記処理を繰り返し行う。
【００３８】
以上説明した実施の形態によれば記録対象とする音楽ファイルの数が複数の場合には、図２（ａ）に示すように、記録対象の音楽ファイルの数に対する記録済みの音楽ファイルの数の割合が記録進行状況として液晶ディスプレイ５１に表示されるので、ユーザは音楽ファイルの記録の進行状況を容易に把握することができる。
【００３９】
また、記録対象の音楽ファイルの数が一つの場合は、記録進行状況に代えて、図２（ｂ）に示す表示が行われるので、意味のある表示を行うことができる。また、上記実施の形態では、２００ｍｓが計時される毎に点灯される点灯領域を切り換えることとしているので、ユーザは時間の経過を視覚で判断することができる。
【００４０】
また、図２に示すように、インジケータ５１ａにおける点灯領域の点灯状態を見ることにより現在複数の記録対象ファイルが記録されているのか、一の記録対象ファイルが記録されているのかを容易に把握することができる。
【００４１】
但し、本発明は上記説明した実施の形態に限定されるものではなく、本発明の趣旨を逸脱しない範囲において適宜変更可能であるのは勿論である。
例えば、上記実施の形態では、外部記録媒体１１として、音楽用ＣＤを例に挙げて説明したが、外部記録媒体１１は音楽用ＣＤに限定されるものではなく、ＣＤ−ＲＯＭ、ＣＤ−Ｒ、ＣＤ−ＲＷ、ＤＶＤ−ＲＯＭ、ＤＶＤ−Ｒ、ＤＶＤ−ＲＷ、ＤＶＤ−ＲＡＭ、ＤＶＤ＋Ｒ、ＤＶＤ＋ＲＷ等の光ディスク型の記録媒体や、コンパクトフラッシュ（登録商標）やＳＤ（Secure Digital）メモリカード等のフラッシュメモリを採用した記録媒体等、各種記録媒体を適用することができる。また、音楽ファイル取得部１０は、ＣＤ再生装置に限定されるものではなく、外部記録媒体の種類に応じて、外部記録媒体に記録された音楽ファイルを取得できる構成であればよいのは勿論である。
【００４２】
また、上記実施の形態では外部記録媒体１１に記録された音楽ファイルを記録媒体２１に記録する構成としたが、記録媒体２１に記録する記録対象ファイルは音楽ファイルに限定されるものではなく、画像ファイルや動画ファイル等各種データファイルを適用することができる。また、外部記録媒体１１に記録されたものではなく、インターネット等を通して供給されるデータファイルを記録対象ファイルとして記録媒体２１に記録させる構成としてもよいのは勿論である。
【００４３】
また、上記実施の形態では、記録媒体２１としてフラッシュメモリを例に挙げて説明したが、記録媒体２１はフラッシュメモリに限定されるものではなく、ハードディスク装置等の磁気記録媒体であってもよいし、上記光ディスク型の記録媒体であってもよいし、ＭＤ（Mini Disc（登録商標））等の光磁気記録媒体であってもよいし、特に限定されるものではない。また、記録部２０は記録媒体の種類に応じて、記録媒体に音楽ファイルを所定の形式で記録ファイルとして記録できる構成であればよいのは勿論である。
【００４４】
また、上記実施の形態において、記録対象の音楽ファイルの数が一つの場合、インジケータ５１ａの表示を、２００ｍｓ毎に点灯させる点灯領域の位置が一方向に変化する等、所定の単位時間毎に表示を更新するようにしたが、このような表示に変えて、記録すべき全データ量に対する記録済みのデータ量の割合を表示させるようにしてもよい。また、インジケータ５１ａを５つの点灯領域により構成するものとして説明したが、点灯領域の数は特に限定されるものではなく、インジケータ５１ａの構成も特に限定されるものではない。
【００４５】
また、上記実施の形態において、記録対象の音楽ファイルが複数の場合と、一つの場合とで表示を換えることとしたが、記録対象の音楽ファイルが複数の場合であって、まだ記録されていない音楽ファイルの数が残り一つになった場合に、記録進行状況の表示に代えて、図２（ｂ）に示す所定の表示を所定の単位時間毎に更新しつつ行う表示に切り換えてもよいし、上述の様に、残り１曲分の音楽ファイルの記録すべき全データ量に対して記録済みのデータ量の割合を示す表示としてもよい。
【図面の簡単な説明】
【００４６】
【図１】本実施の形態の記録再生装置の機能的構成を示すブロック図である。
【図２】本実施の形態の記録進行状況の表示例を示す図である。
【図３】本実施の形態の記録再生装置の動作を示すフローチャートである。
【符号の説明】
【００４７】
１  記録再生装置
１０  音楽ファイル取得部（記録対象ファイル取得部）
１１  外部記録媒体
２０  記録部
２１  記録媒体
３０  信号処理部（再生部）
４０  音声出力部
５０  表示・入力部
５１  液晶ディスプレイ（表示部）
５１ａ  インジケータ（記録進行状況表示手段）
６０  制御部
７０  計時部
８０  カウンタ
【図１】
2007257710.tif 000003
【図２】
2007257710.tif 000004
【図３】
2007257710.tif 000005